(57)【要約】【課題】収納庫内の載置台である導光板上に置かれた収容物を視認性よく照射する照明装置およびそれを用いた収納庫を提供する。【解決手段】照明器具１０は、収納庫内に設置される収納庫用の照明器具であって、収納庫内に設けられ、導光板２と、導光板２に光を入射するＬＥＤ光源とを有する。照明器具１０は、照明と載置台との両方の機能を備えている。ＬＥＤ光源１１、１２は、それぞれの放射光の進行方向である光軸が導光板２内において互いに交差するように配置される。【選択図】図２
2014026897.tif 000002
【特許請求の範囲】
【請求項１】
収納庫内に設置される照明器具であって、
前記収納庫内に設けられ、載置台として機能する導光板と、
前記導光板の周囲に設けられ前記導光板内へ光を入射する第１、第２のＬＥＤ光源と、
を備え、
前記第１、第２のＬＥＤ光源は、平面視において、それぞれの放射光の進行方向である光軸が前記導光板内で互いに交差するように配置され、
前記第１、第２のＬＥＤ光源の前記放射光は前記導光板内に入射するとともに、前記導光板の上面または下面の少なくとも一方において面発光することによって前記収納庫内を照明する、
照明器具。
【請求項２】
前記導光板は略矩形状であり、
前記第１、第２のＬＥＤ光源は前記収納庫の開口部側であって、かつ前記導光板の隣り合う角にそれぞれ配置された、
請求項１に記載の照明器具。
【請求項３】
前記第１、第２のＬＥＤ光源は前記導光板と一体構成された、
請求項１に記載の照明器具。
【請求項４】
前記第１、第２のＬＥＤ光源は前記導光板と着脱可能に設けられた、
請求項１に記載の照明器具。
【請求項５】
前記第１、第２のＬＥＤ光源は、
ＬＥＤ素子と、
前記ＬＥＤ素子の放射光を前記導光板内へ導くレンズと、
をそれぞれ有する、
請求項１に記載の照明器具。
【請求項６】
前記レンズは、少なくとも一部が金属材料で成膜された反射面をそれぞれ有し、
前記第１、第２のＬＥＤ光源の前記放射光はそれぞれ、前記反射面によって反射されて前記導光板に入射する、
請求項５に記載の照明器具。
【請求項７】
前記レンズは前記導光板の前記下面に向かう傾斜部をそれぞれ有し、
前記傾斜部の傾斜面は前記導光板の前記下面と１３５°以上の角度を成して連続していることを特徴とする、
請求項５に記載の照明器具。
【請求項８】
請求項４に記載の照明器具を備えた収納庫であって、
開口部と、
前記開口部と対向する背面部と、
前記収納庫内において前記開口部と前記背面部とを繋ぎ、かつ互いに対向する第１、第２の側壁面と、
前記第１の側壁面の前記開口部側に設けられ、前記導光板を支持する第１の支持部と、
前記第２の側壁面の前記開口部側に設けられ、かつ前記第１の支持部と共に前記導光板を支持する第２の支持部と、
を備え、
前記第１のＬＥＤ光源は前記導光板と着脱可能であり、かつ前記第１の支持部に設けられ、前記第２のＬＥＤ光源は前記導光板と着脱可能であり、かつ前記第２の支持部に設けられた、
収納庫。
【請求項９】
前記第１、第２の支持部は前記導光板を係止するための係止部をそれぞれ有する、
請求項８に記載の収納庫。
【発明の詳細な説明】
【技術分野】
【０００１】
本発明は、半導体発光素子を光源とする照明器具であり、特に収納庫内用として用いられる照明器具であって、少ない光源で収納庫内の照度を均一化すると共に、空間全体の明るさ感を増加させる導光板を設けた照明器具に関する。
【背景技術】
【０００２】
近年、半導体発光素子（以下、ＬＥＤ）は、低電力で高輝度の発光が可能であり、冷蔵庫やショーケース等の収納庫の照明器具として使用されている。また、ＬＥＤを用いた種々の照射方式の照明器具が考案されており、その中でＬＥＤのような点光源の放射光を面発光の光へ変換する導光板を用いた照明器具がある。この導光板を用いた照明器具を用いることにより、従来のランプ光源を用いた収納庫内照明よりも広範囲かつ隅々まで配光することが可能となる。
【０００３】
図１０は従来の冷蔵庫内の照明器具であり、（ａ）は光線図を含む上面図、（ｂ）は（ａ）におけるＡ―Ａ断面図である。図１０に示すように、従来の冷蔵庫内の照明器具は光源１０１と導光板１０２とを有する。光源１０１は冷蔵庫内１０４の背面部に配置されている。導光板１０２は光源１０１の放射光を面光源へと変換するとともに載置台を兼ねており、冷蔵庫内１０４に配置されている。光源１０１から放射された光は伝播光ａとして導光板１０２内を導光する。伝播光ａが導光板に配されたプリズムやシルク印刷等の拡散面１０６に到達すると拡散光ｂとなって導光板１０２外へ放射される。このような方式の従来の冷蔵庫内照明器具が、例えば特許文献１に開示されている。
【先行技術文献】
【特許文献】
【０００４】
【特許文献１】特開２０１１−５２９４３号公報
【発明の概要】
【発明が解決しようとする課題】
【０００５】
しかしながら上記のような従来の方式では、図１０に示すように載置台を兼ねた導光板１０２上に収容物１００を配置すると、冷蔵庫内１０４の背面部に光源１０１が配置されているため、収容物１００は冷蔵庫の背面部方向が明るく、開口部１０５方向が暗くなる。そのため、観察方向である開口部１０５方向が暗く、収容物１００の視認性が劣化する課題がある。
【０００６】
本発明は、上記課題を解決するものであり、少ない光源で収納庫内の照度を均一化し、かつ収納庫内における収容物の視認性を向上する照明器具を提供することを目的とする。
【課題を解決するための手段】
【０００７】
上記課題を解決するため、本発明の照明器具は収納庫内に設置される収納庫用照明器具であって、収納庫内に設けられ、導光板と、導光板の周囲に配され導光板内へ光を入射する第１、第２のＬＥＤ光源とを有する。第１、第２のＬＥＤ光源は、平面視において、それぞれの放射光の進行方向である光軸が導光板内において互いに交差するように配置される。第１、第２のＬＥＤ光源の放射光は導光板内に入射するとともに、導光板は上面または下面の少なくとも一方において面発光することによって収納庫内を照明する。
【０００８】
上記の照明器具において、導光板は略矩形状であり、第１、第２のＬＥＤ光源は収納庫の開口部側であって、かつ導光板の隣り合う角にそれぞれ配置されることが好ましい。
【０００９】
また、上記の照明器具において、第１、第２のＬＥＤ光源は導光板と一体構成されることが好ましい。
【００１０】
また、上記の照明器具において、第１、第２のＬＥＤ光源は導光板と着脱可能に設けられることが好ましい。
【００１１】
また、上記の照明器具において、第１、第２のＬＥＤ光源は、ＬＥＤ素子とＬＥＤ素子の放射光を導光板内へ導くレンズとをそれぞれ有することが好ましい。
【００１２】
また、上記の照明器具において、レンズは、少なくとも一部が金属材料で成膜された反射面をそれぞれ有し、第１、第２のＬＥＤ光源の放射光はそれぞれ、反射面によって反射されて導光板に入射することが好ましい。
【００１３】
また、上記の照明器具において、レンズは導光板の下面に向かう傾斜部をそれぞれ有し、傾斜部の傾斜面は導光板の下面と１３５°以上の角度を成して連続していることが好ましい。
【００１４】
さらに、上記の照明器具を用いた収納庫は、開口部と、開口部と対向する背面部と、収納庫内において開口部と背面部とを繋ぎ、かつ互いに対向する第１、第２の側壁面と、第１の側壁面の開口部側に設けられ、導光板を支持する第１の支持部と、第２の側壁面の開口部側に設けられ、かつ第１の支持部と共に導光板を支持する第２の支持部と有する。第１のＬＥＤ光源は導光板と着脱可能であり、かつ第１の支持部に設けられ、第２のＬＥＤ光源は導光板と着脱可能であり、かつ第２の支持部に設けられている。
【００１５】
また、上記の収納庫において、第１、第２の支持部は導光板を係止するための係止部をそれぞれ有することが好ましい。
【発明の効果】
【００１６】
本発明によれば、収納庫内に配した第１、第２のＬＥＤ光源から放射された光が導光板を伝播するとともに導光板の上面または下面の少なくとも一方において面発光することにより収納庫内を均一に照射することができる。また第１、第２のＬＥＤ光源からの放射光を交差させることで、収容物の陰影を低減し、収容物の視認性を向上させることができる。
【図面の簡単な説明】
【００１７】
【図１】実施の形態１に係る照明器具を用いた冷蔵庫の斜視図である。
【図２】実施の形態１に係る照明器具であり、（ａ）は光線図を含む上面図、（ｂ）は（ａ）におけるＡ―Ａ断面図である。
【図３】実施の形態１に係る他の照明器具であり、（ａ）は光線図を含む上面図、（ｂ）は（ａ）におけるＢ―Ｂ断面図である。
【図４】実施の形態２に係る照明器具であり、（ａ）は上面図、（ｂ）は（ａ）におけるＣ―Ｃ断面図である。
【図５】実施の形態３に係る照明器具であり（ａ）は照明器具の要部断面図、（ｂ）は筐体の断面図である。
【図６】実施の形態４に係る照明器具の要部断面図である。
【図７】実施の形態５に係る照明器具であり、（ａ）は照明器具の要部断面図、（ｂ）および（ｃ）は筐体の各種断面図である。
【図８】実施の形態６に係る照明器具であり、（ａ）は照明器具の要部断面図、（ｂ）および（ｃ）は筐体の各種断面図である。
【図９】実施の形態７に係る照明器具であり、（ａ）は照明器具の要部断面図、（ｂ）〜（ｄ）は筐体の各種断面図である。
【図１０】従来の冷蔵庫内照明器具であり、（ａ）は光線図を含む上面図、（ｂ）は（ａ）におけるＡ―Ａ断面図である。
【発明を実施するための形態】
【００１８】
（実施の形態１）
実施の形態１に係る照明器具について、以下図面を用いて説明する。図１は実施の形態１に係る照明器具１０を用いた収納庫の斜視図であり、図２は実施の形態１に係る照明器具１０であり、（ａ）は光線図を含む上面図、（ｂ）は（ａ）におけるＡ―Ａ断面図である。実施の形態１の照明器具１０は、収納庫内に設置される収納庫用の照明器具であって、導光板２と、導光板２の周囲に配され導光板２内へ光を入射するＬＥＤ光源１１、１２とを有する。照明器具１０は、照明と載置台との両方の機能を備えている。なお、実施の形態１および以下の各実施の形態において、収納庫は冷蔵庫４であるとして説明する。すなわち、図１に示すように冷蔵庫４内には複数の照明器具１０が略水平に設けられ、導光板２の上面に収容物１００を載置することができるので、冷蔵庫４内において載置台として機能する。
【００１９】
実施の形態１の照明器具１０が用いられる冷蔵庫４は開口部５を有し、開口部５の開口面と対向する背面部と、開口部５と背面部とを繋ぎ、かつ互いに対向する側壁面４ａ、４ｂと、それぞれの側壁面４ａ、４ｂに設けられた支持部１ａ、１ｂとを有する。支持部１ａは側壁面４ａの開口部５側に設けられ、導光板２を支持する。支持部１ｂは側壁面４ｂの開口部５側に設けられ、かつ支持部１ａと共に導光板２を支持する。なお図１において、冷蔵庫４に設けている照明器具１０は２つであるが、これに限られず、１つまたは３つ以上でもよく、設置箇所についても図示された位置に限られるものではない。
【００２０】
図２（ａ）に示すように、照明器具１０のＬＥＤ光源１１、１２は、平面視において、それぞれの放射光の進行方向である光軸が導光板２内において互いに交差するように配置される。より具体的には、冷蔵庫４内の開口部５側であって、かつ略矩形状の導光板２の隣り合う角にそれぞれ配置されている。すなわち、ＬＥＤ光源１１、１２は冷蔵庫４内において開口部５側の側壁面４ａ、４ｂ付近にそれぞれ設けられている。
【００２１】
図２において伝播光ａは、照明器具１０のＬＥＤ光源１１、１２から放射される放射光の進行方向を示している。照明器具１０のＬＥＤ光源１１、１２はそれぞれの放射光の進行方向である光軸が導光板２内において互いに交差するように配置される。ＬＥＤ光源１１、１２の放射光が導光板２内に入射するとともに、導光板２の上面または下面の少なくとも一方において面発光することによって冷蔵庫４内と導光板２の上面に載置された収容物１００を照明する。なお実施の形態１においては、以下に説明するように、導光板２は上面において面発光し、上面に載置された収容物１００を照射する。
【００２２】
導光板２はアクリル樹脂などの導光性の素材から形成されている。図２に示されるように、ＬＥＤ光源１１、１２から出射した光は導光板２内に入射し、導光板２内を反射しながら伝播する。導光板２の下面にはプリズムやシルク印刷等の拡散面６が設けられている。導光板２内に入射したＬＥＤ光源１１、１２の伝播光ａは拡散面６で散乱され、散乱された光が拡散光ｂとなって導光板２の上面から外へ出る。このようにして導光板２の上面が面発光することによって、冷蔵庫４内を照明する。
【００２３】
拡散面６で散乱され、導光板２の上面から外へ出る光は、拡散光ｂで示されるように伝播方向への指向性を有する。すなわち、冷蔵庫４の開口部５から背面部方向へ導光板２内を伝播する光は、開口部５側から背面部へ向かう方向に導光板２の上面から外へ放出される。そのため、導光板２上に置かれた収容物１００の開口部５側の照度が増加し、使用者
が開口部５側から冷蔵庫４内を確認した際に収容物１００を視認しやすくなる。
【００２４】
また、実施の形態１において、ＬＥＤ光源１１、１２は冷蔵庫４内の開口部５の側壁面４ａ、４ｂ付近に配置されている。さらに、ＬＥＤ光源１１、１２からそれぞれ放射される光の方向は、伝播光ａで示されるように、それぞれの放射光が導光板２内で交差するように調整されている。このようにすることで、導光板２上に載置された収容物１００は異なる二方向から照射されるので、収容物１００の陰影が低減される。
【００２５】
以上のように、実施の形態１に係る照明器具１０は、ＬＥＤ光源１１、１２を冷蔵庫４内の両側の壁面の開口部５側に配することにより、収容物１００の開口部５側の照度を増加させることができる。また、第１、第２のＬＥＤ光源１１、１２のそれぞれの放射光が交差するように、両側の壁面から背面部へ光を伝播することにより、収容物１００の陰影が低減する。これにより、使用者が開口部５方向から冷蔵庫４内を観察した場合に、収容物１００の視認性が改善できる。
【００２６】
なお、実施の形態１においてＬＥＤ光源１１、１２は導光板２と一体の構成としてもよく、あるいは導光板２と着脱可能とし冷蔵庫４側に取り付け可能な構成としてもよい。ＬＥＤ光源１１、１２を導光板２と着脱可能な構成とした場合、ＬＥＤ光源１１、１２は図１に示す支持部１ａ、１ｂと一体構成することが好ましい。このようにすることで使用者が導光板２を容易に冷蔵庫４から取り外すことが可能となり、利便性を向上させることができる。
【００２７】
また、ＬＥＤ光源１１、１２を冷蔵庫４内の開口部５側に配置したが、これに限られない。例えば、ＬＥＤ光源１１、１２を冷蔵庫４内の背面部側に設けてもよい。図３は実施の形態１に係る他の照明器具２０であり、（ａ）は光線図を含む上面図、（ｂ）は（ａ）におけるＢ―Ｂ断面図である。照明器具１０と同様に、照明器具２０はＬＥＤ光源２１、２２と導光板２とを有する。導光板２の下面には拡散面６が設けられ、拡散面６によって拡散された光が導光板２の上面から外へ出ることで導光板２は面発光する。
【００２８】
図３（ａ）に示されるように、照明器具２０においては冷蔵庫４内の背面部側の側壁面４ａ、４ｂ付近にＬＥＤ光源２１、２２が設けられている。
【００２９】
照明器具２０においても、図３（ａ）、（ｂ）に示す伝播光ａ、拡散光ｂのように、ＬＥＤ光源２１、２２を冷蔵庫４内の背面部側であって、かつ側壁面４ａ、４ｂ近傍に配することによって、それぞれの放射光を導光板２内で交差するように伝播させることができる。これによって、ＬＥＤ光源２１、２２を背面部側に配した場合でも、斜め後方から複数のＬＥＤ光源で収容物１００を照射することで、収容物１００の後方のみならず、収容物１００の側面も効率良く照射することができる。したがって、単に収容物１００の後方から照射する場合よりも、収容物１００の陰影が低減し、収容物１００の視認性を改善することができる。
【００３０】
以上のように、実施の形態１に係る照明器具において、ＬＥＤ光源１１、１２またはＬＥＤ光源２１、２２を、それぞれの放射光の進行方向である光軸が導光板２内において互いに交差するように配置することによって、少ない光源でも効率よく冷蔵庫４内を照明することができる。
【００３１】
なお実施の形態１において、照明器具１０，２０は２つのＬＥＤ光源を有するが、これに限られず３つ以上のＬＥＤ光源を有する構成としてもよい。
【００３２】
（実施の形態２）
次に、実施の形態２に係る照明器具３０について、図４を参照して説明する。図４は実施の形態２に係る照明器具であり、（ａ）は照明器具３０の上面図、（ｂ）は（ａ）におけるＣ―Ｃ断面図である。実施の形態２の照明器具３０は、実施の形態１に係る照明器具１０と同様に、導光板２と、導光板２に光を入射するＬＥＤ光源３１、３２とを有する。さらに実施の形態２においては、ＬＥＤ光源３１、３２はそれぞれ、基板７に固着されたＬＥＤ素子１と、基板７とＬＥＤ素子１を収容する筐体９と蓋体８とから構成される。
【００３３】
筐体９は透明封止部材からなり、基板７とＬＥＤ素子１は筐体９と蓋体８によって冷蔵庫４内における高湿度の空気から遮断されている。このような構成とすることで、冷蔵庫４内における高湿度の空気とＬＥＤ素子１とを遮断することができるので、湿度によるＬＥＤ光源の劣化を防ぐことができる。なお、筐体９内においては、筐体９と基板７及び蓋体８の間を、シリコン等の素材によって密閉度を高めることが好ましい。このようにすることで、より確実に湿度によるＬＥＤ光源３１、３２の劣化を防ぐことができる。
【００３４】
なお、実施の形態２において、ＬＥＤ光源３１、３２が有するＬＥＤ素子１の数はそれぞれ１つとしたが、これに限られない。複数のＬＥＤ素子を１つのＬＥＤ光源に用いることによって、より冷蔵庫４内の照度を向上させることができる。
【００３５】
なお、筐体９は導光板２と一体構成としてもよく、あるいは導光板２と着脱可能に設けられてもよい。筐体９を導光板２と着脱可能な構成とした場合、筐体９は図１に示す支持部１ａ、１ｂと一体構成することが好ましい。このようにすることで使用者が導光板２を容易に冷蔵庫４から取り外すことが可能となり、利便性を向上させることができる。
【００３６】
（実施の形態３）
次に、実施の形態３に係る照明器具４０について、図５を参照して説明する。照明器具４０は実施の形態２の照明器具３０の変形例である。図５は実施の形態３に係る照明器具４０であり（ａ）は照明器具４０の要部断面図、（ｂ）は筐体１９の断面図である。図５（ａ）、（ｂ）はそれぞれ図４のＣ―Ｃ断面に対応している。照明器具４０は、実施の形態２の筐体９の変形例である筐体１９を有し、その他の構成については基本的に同様である。
【００３７】
基板７と基板７に固着されたＬＥＤ素子１とは、筐体１９と蓋体８によって収容されている。筐体１９は透明封止部材からなり、冷蔵庫４内における高湿度の空気とＬＥＤ素子１とを遮断している。さらに実施の形態３において筐体１９はレンズとして機能し、その一部に形成された反射面１５を有する。
【００３８】
反射面１５はＬＥＤ素子１から放射された放射光を反射し、導光板２方向へ導く。すなわち、反射面１５はＬＥＤ素子１から放射された光のうち上下方向の光を反射し、より確実に導光板２へ放射光を導光する。反射面１５は、レンズの一部に金属膜を蒸着することで形成される。この金属膜は反射率の高い薄膜（Ａｇ、Ａｌ、Ａｕ、Ｃｕ、Ｎｉ、Ｐｔ等）を成膜することによって形成されることが好ましい。
【００３９】
このような構成とすることで、ＬＥＤ素子１の劣化を防ぐとともに、ＬＥＤ素子１から発される光をより確実に導光板２内へ導くことができ、光利用率の向上と湿度による光源劣化を防止することができる。
【００４０】
実施の形態３においても、筐体１９と基板７及び蓋体８の間を、シリコン等の素材で密閉度を高めることが好ましい。
【００４１】
（実施の形態４）
次に、実施の形態４に係る照明器具について、図６を参照して説明する。実施の形態４に係る照明器具は実施の形態２の照明器具３０の変形例である。図６は実施の形態４に係る照明器具５０の要部断面図であり、図４のＣ―Ｃ断面に対応している。照明器具５０は、実施の形態２の筐体９の変形例である筐体２９を有し、その他の構成については基本的に同様である。
【００４２】
筐体２９は図４のＣ―Ｃ断面における形状が略半球状であり、基板７に固着されたＬＥＤ素子１が蓋体８に固定されるとともに、筐体２９の球面内に設けられている。筐体２９は透明封止部材から形成され、その内側においてＬＥＤ素子１から放射された放射光を屈折させて導光板２へ平行に光を入射する機能を有する。実施の形態４において、筐体２９はレンズとして機能し、ＬＥＤ素子１から放射された放射光を屈折または反射させることによって、ＬＥＤ素子１の放射光を平行光へと変換し、導光板２内へ光を導光する。例えば筐体２９を半球形状またはパラボラ曲面を有する形状とし、放射光を屈折または反射させることによってＬＥＤ素子１の放射光を平行光へと変換することができる。
【００４３】
このような構成にすることによって、冷蔵庫４内において高湿度の空気とＬＥＤ素子１とを遮断することができ、光利用率の向上と湿度による光源劣化の改善ができる。また、ＬＥＤ素子１の放射光を平行光へと変換し、効率良く導光板２へ光を導くことができる。このとき、筐体２９と基板７との間を、シリコン等の素材で密閉度を高めることが好ましい。
【００４４】
（実施の形態５）
次に、実施の形態５に係る照明器具について、図７を参照して説明する。実施の形態５に係る照明器具６０は実施の形態２の照明器具３０の変形例である。図７は実施の形態５に係る照明器具６０であり、（ａ）は照明器具６０の要部断面図、（ｂ）および（ｃ）は筐体３９１、３９２の各種断面図であり、それぞれの断面図は図４のＣ―Ｃ断面に対応している。照明器具６０は、実施の形態２の筐体９の変形例である筐体３９を有し、その他の構成については基本的に同様である。
【００４５】
図７（ａ）に示すように、筐体３９は透明封止部材で形成され、基板７に固着されたＬＥＤ素子１が蓋体８に固定されて筐体３９に収容されている。また、筐体３９は導光板２の下面に沿って伸びて導光板２を支持する支持部３９ａを有する。この筐体３９の支持部３９ａは図１における支持部１ａ、１ｂと同様の機能を果たし、導光板２を支持する。なお実施の形態５において筐体３９は導光板２と一体構成としてもよく、あるいは導光板２と着脱可能とし支持部１ａ、１ｂと一体構成としてもよい。
【００４６】
図７（ｂ）に示すように、筐体３９は実施の形態３から実施の形態４に示したいずれの構成としてもよい。すなわち、筐体３９１のように反射面１５を形成したレンズによってＬＥＤ素子１の放射光を反射する構成としてもよく、また筐体３９２のように半球形状のレンズとしてもよい。
【００４７】
このような構成とすることによって、筐体３９、３９１、３９２はＬＥＤ素子１からの放射光を前方の導光板２へ導きつつ、冷蔵庫４内における高湿度の空気とＬＥＤ素子１とを遮断し、光利用率の向上と湿度による光源劣化の改善を図ることができる。さらに、導光板２を支える支持部３９ａを有することで、図１に示す開口部５における導光板２の支持が可能となる。
【００４８】
（実施の形態６）
次に、実施の形態６に係る照明器具について図８を参照して説明する。実施の形態６に係る照明器具７０は実施の形態５の照明器具６０の変形例である。図８は実施の形態６に
係る照明器具７０であり、（ａ）は照明器具７０の要部断面図、（ｂ）および（ｃ）は筐体４９１、４９２の各種断面図であり、それぞれの断面図は図４のＣ―Ｃ断面に対応している。照明器具７０は、実施の形態５の筐体３９の変形例である筐体４９を有し、その他の構成については基本的に同様である。
【００４９】
図８（ａ）に示すように、筐体４９は透明封止部材で形成され、基板７に固着されたＬＥＤ素子１が蓋体８に固定されて筐体４９に収容されている。また、筐体４９は導光板２の下面に沿って伸びる支持部４９ａを有する。この筐体４９の支持部４９ａは図１における支持部１ａ、１ｂと同様の機能を果たし、導光板２を支持する。なお実施の形態６において筐体４９は導光板２と一体構成としてもよく、あるいは導光板２と着脱可能とし支持部１ａ、１ｂと一体構成としてもよい。
【００５０】
さらに、支持部４９ａは導光板２を係止するための係止部を有する。実施の形態６において係止部は凸部１６で構成される。また、導光板２において凸部１６の形状に合わせた凹部が形成されていることが好ましい。凸部１６が導光板２に係止することで、筐体４９に内包されたＬＥＤ素子１と導光板２とを確実に接続することができる。
【００５１】
図８（ｂ）、（ｃ）に示すように、筐体４９は実施の形態３から実施の形態４に示したいずれの構成としてもよい。すなわち、筐体４９１のように反射面１５を形成したレンズによってＬＥＤ素子１の放射光を反射する構成としてもよく、また筐体４９２のように半球形状のレンズとしてもよい。
【００５２】
以上のように、筐体４９、４９１、４９２はＬＥＤ素子１からの放射光を前方の導光板２へ導きつつ、冷蔵庫４内における高湿度の空気とＬＥＤ素子１とを遮断し、光利用率の向上と湿度による光源劣化の改善を図ることができる。さらに、筐体４９、４９１、４９２が導光板２を支える支持部４９ａと凸部１６とを有することで、図１に示す開口部５において導光板２を支持し、かつＬＥＤ素子１と導光板２のアライメント精度を向上することが可能となる。
【００５３】
（実施の形態７）
次に、実施の形態７に係る照明器具について、図９を参照して説明する。実施の形態７に係る照明器具８０は実施の形態６の照明器具７０の変形例である。図９は実施の形態７に係る照明器具８０であり、（ａ）は照明器具８０の要部断面図、（ｂ）〜（ｄ）は筐体５９、５９１、５９２の各種断面図であり、それぞれの断面図は図４のＣ―Ｃ断面に対応している。照明器具８０は、実施の形態６の筐体４９の変形例である筐体５９を有し、その他の構成については基本的に同様である。
【００５４】
図９（ａ）に示すように、筐体５９は透明封止部材で形成され、基板７に固着されたＬＥＤ素子１が蓋体８に固定されて筐体５９に収容されている。また、筐体５９は導光板２の下面に沿って伸びる支持部５９ａを有する。この筐体５９の支持部５９ａは図１における支持部１ａ、１ｂと同様の機能を果たし、導光板２を支持する。なお実施の形態７において筐体５９は導光板２と一体構成としてもよく、あるいは導光板２と着脱可能とし支持部１ａ、１ｂと一体構成としてもよい。
【００５５】
さらに、実施の形態７の筐体５９は支持部５９ａの先端において導光板２の下面に向かう傾斜部１７を有する。図９（ｂ）に示すように、傾斜部１７は、支持部５９ａの先端が、導光板２に垂直ではなく特定の角度ｄで導光板２の下面に接続されている。なお、角度ｄは４５°以下であることが好ましい。言い換えると、傾斜部１７の傾斜面は導光板２の下面の表面と１３５°以上の角度を成して接続されていることが好ましい。
【００５６】
図９（ｃ）、（ｄ）に示すように、筐体５９は実施の形態３から実施の形態４に示したいずれの構成としてもよい。すなわち、筐体５９１のように反射面１５を形成したレンズによってＬＥＤ素子１の放射光を反射する構成としてもよく、また筐体５９２のように半球形状のレンズとしてもよい。
【００５７】
以上のような構成によって、筐体５９、５９１、５９２はＬＥＤ素子１からの放射光を前方の導光板２へ導きつつ、冷蔵庫４内における高湿度の空気とＬＥＤ素子１とを遮断し、光利用率の向上と湿度による光源劣化の改善を図ることができる。さらに、筐体５９、５９１、５９２が導光板２を支える支持部５９ａと凸部１６とを有することで、図１に示す開口部５において導光板２を支持し、かつＬＥＤ素子１と導光板２のアライメント精度を向上することが可能となる。そして支持部５９ａの傾斜部１７は導光板２との接続面に対して垂直な終端でなく傾斜させて接続することで、支持部５９ａを伝播する光を導光板２へ効率よく出射して光の利用率を高めることが可能となる。
【００５８】
なお、以上の実施の形態１〜７において、照明器具が用いられる収納庫を冷蔵庫としたが、これに限定されず、ショーケースやその他の収容棚などにも適用することができる。この場合であってもＬＥＤ光源は、それぞれケースの開口部側であって、かつ前矩形状の導光板の隣り合う角にそれぞれ配置されることが好ましい。
【符号の説明】
【００５９】
１    ＬＥＤ素子
１ａ、１ｂ、３９ａ、４９ａ、５９ａ    支持部
２、１０２    導光板
４    冷蔵庫（収納庫）
４ａ、４ｂ    側壁面
５、１０５    開口部
６、１０６    拡散面
７    基板
８    蓋体
９、１９、２９、３９、４９、５９、３９１、３９２、４９１、４９２、５９１、５９２    筐体
１０、２０、３０、４０、５０、６０、７０、８０    照明器具
１１、１２、２１、２２、３１、３２    ＬＥＤ光源
１５    反射面
１６    凸部（係止部）
１７    傾斜部
ａ    伝播光
ｂ    拡散光
１００    収容物
【図１】
2014026897.tif 000003
【図２】
2014026897.tif 000004
【図３】
2014026897.tif 000005
【図４】
2014026897.tif 000006
【図５】
2014026897.tif 000007
【図６】
2014026897.tif 000008
【図７】
2014026897.tif 000009
【図８】
2014026897.tif 000010
【図９】
2014026897.tif 000011
【図１０】
2014026897.tif 000012